(57)【要約】【課題】換気経路に浸入した雨水の排水性を高めることができる換気役物を提供する。【解決手段】屋根の棟部に配設される換気役物Ａに関する。換気役物Ａはカバー１とベース２とからなる。カバー１とベース２の間に換気経路３が形成されている。カバー１は屋根の傾斜面に沿って配置されるカバー傾斜片４を有すると共にベース２は屋根の傾斜面に沿って配置されるベース傾斜片５を有する。カバー傾斜片４の下側にベース傾斜片５を配置してカバー１にベース２を取り付けると共にカバー傾斜片４とベース傾斜片５との間に換気経路３と連通する排水用隙間６を形成する。カバー傾斜片４とベース傾斜片５との間に換気経路３と連通する排水用隙間６を形成するので、排水専用の排水用隙間６を通じて換気経路３に浸入した雨水を排水することができる。【選択図】図１
2008057241.tif 000002
【特許請求の範囲】
【請求項１】
屋根の棟部に配設される換気役物であって、換気役物はカバーとベースとからなり、カバーとベースの間に換気経路が形成されており、カバーは屋根の傾斜面に沿って配置されるカバー傾斜片を有すると共にベースは屋根の傾斜面に沿って配置されるベース傾斜片を有し、カバー傾斜片の下側にベース傾斜片を配置してカバーにベースを取り付けると共にカバー傾斜片とベース傾斜片との間に換気経路と連通する排水用隙間を形成して成ることを特徴とする換気役物。
【請求項２】
カバー傾斜片とベース傾斜片の少なくとも一方に、排水用隙間を形成するためのスペーサを設けて成ることを特徴とする請求項１に記載の換気役物。
【請求項３】
ベース傾斜片の下面に屋根材との隙間を塞ぐための弾性材を設けて成ることを特徴とする請求項１又は２に記載の換気役物。
【請求項４】
屋根下地の棟部に開口部を形成し、開口部の上側に捨て水切りを配設し、捨て水切りの上側に請求項１乃至３のいずれかに記載の換気役物を配設し、カバーに換気経路と連通するカバー換気口を形成すると共にベースに換気経路と連通するベース換気口を形成し、上記の開口部、捨て水切り、ベース換気口、換気経路、カバー換気口を通じて換気可能に形成し、換気役物の上側に棟包を配設して成ることを特徴とする換気棟。
【発明の詳細な説明】
【技術分野】
【０００１】
本発明は、寄せ棟屋根などに好適に用いられる換気役物及びこれを用いた換気棟に関するものである。
【背景技術】
【０００２】
従来より、屋根の棟部において屋内の換気を行うようにしている（例えば、特許文献１参照）。このような換気棟は換気役物を配置して形成されており、その多くは換気役物を外部（外観）に露出している（屋根材の役物（防水）機能）。換気役物としては側面又は上面に換気口を設けるものがある。
【０００３】
図１５に示すものは、換気役物の側面から換気（排気）を行うものである。このものでは、屋根の梁７０の上に母屋７０ａを介して一対の屋根下地７１、７１の棟側端部が載置されている。一対の屋根下地７１、７１は、互いに反対側に下り傾斜する野地板などで形成されている。各屋根下地７１、７１の上面には平板状の屋根材７２、７２が載設されている。屋根材７２、７２の上面には屋根の棟部を跨ぐようにして換気役物Ａが設けられている。換気役物Ａはベース７３とその上を覆うように配置されるカバー７４とで形成されており、ベース７３とカバー７４の間が換気経路７５として形成されている。換気経路７５の一端は換気役物Ａの両側面に換気口７６として開口されていると共に換気経路７５の他端はベース７３に通気口７７として開口している。また、換気経路７５にはベース７３及びカバー７４から複数個の突出片７８が突設されており、これにより、換気経路７５は迷路のようにジグザグに曲がって形成されている。このような換気棟においては、屋内の空気が矢印イのようにして排出される。すなわち、小屋裏などの屋内の空気は、屋根下地７１、７１の棟側端部の間及び屋根材７２、７２の棟側端部の間を通じて通気口７７まで達し、通気口７７から換気経路７５に導入される。この後、換気経路７５に導入された空気は換気経路７５を換気口７６にまで流れ、ここから屋外に排出される。また、図１５に示す換気棟では、換気口７６から換気経路７５に浸入した雨水は、矢印ロに示すように、逆流して換気口７６から排水するようにしているが、換気口７６から排水する場合、吹込み（風圧）により排水が抑制されて滞留する危険性があった。
【０００４】
図１６に示すものは、換気役物の上面から換気（排気）を行うものである。このものでは、屋根の棟桟７０の上に母屋７０ａを介して上記と同様に一対の屋根下地７１、７１の棟側端部が載置されている。各屋根下地７１、７１の上面には平板状の屋根材７２、７２が載設されている。屋根材７２、７２の上面には屋根の棟部を跨ぐようにして換気役物Ａが設けられている。換気役物Ａは各屋根材７２、７２に載設されるベース７３、７３と、両方のベース７３、７３の上を覆うように配置されるカバー７４とで形成されており、ベース７３、７３とカバー７４の間が換気経路７５として形成されている。換気経路７５の一端は換気役物Ａのカバー７４の上面に換気口７６として開口されている。また、換気経路７５にはベース７３及びカバー７４から複数個の突出片７６が突設されており、これにより、換気経路７５は迷路のようにジグザグに曲がって形成されている。このような換気棟においては、屋内の空気が矢印イのようにして排出される。すなわち、小屋裏などの屋内の空気は、屋根下地７１、７１の棟側端部の間及び屋根材７２、７２の棟側端部の間を通じて換気経路７５に導入される。この後、換気経路７５に導入された空気は換気経路７５を換気口７６にまで流れ、ここから屋外に排出される。また、図１６に示す換気棟では、換気口７６から換気経路７５に浸入した雨水は、矢印ロに示すように、屋根材７２と換気役物Ａとの間から排水するようにしているが、この場合、換気棟の防水性能は、屋根面に塗布又は貼付されて屋根材７２とベース７３の間に設けられる止水材（シーリングや防水シーラー等）７９に大きく影響されるものであり、止水材７９の不具合により防水性能が低下するおそれがあった。また、排水経路を確保するために、排水の流れ方向に対して被さり長さＬが必要であった。
【０００５】
さらに、乾式面戸として、屋根材と役物との取合い部分の防水性能を確保するために、なんばん漆喰やモルタルを用いることがあるが、これらは熟練を要し、且つ屋根重量の増加を招くおそれがあった。
【特許文献１】特開２０００−３１００２１号公報
【発明の開示】
【発明が解決しようとする課題】
【０００６】
本発明は上記の点に鑑みてなされたものであり、換気経路に浸入した雨水の排水性を高めることができる換気役物及びこれを用いた換気棟を提供することを目的とするものである。
【課題を解決するための手段】
【０００７】
本発明の請求項１に係る換気役物Ａは、屋根の棟部に配設される換気役物Ａであって、換気役物Ａはカバー１とベース２とからなり、カバー１とベース２の間に換気経路３が形成されており、カバー１は屋根の傾斜面に沿って配置されるカバー傾斜片４を有すると共にベース２は屋根の傾斜面に沿って配置されるベース傾斜片５を有し、カバー傾斜片４の下側にベース傾斜片５を配置してカバー１にベース２を取り付けると共にカバー傾斜片４とベース傾斜片５との間に換気経路３と連通する排水用隙間６を形成して成ることを特徴とするものである。
【０００８】
本発明の請求項２に係る換気役物Ａは、請求項１に加えて、カバー傾斜片４とベース傾斜片５の少なくとも一方に、排水用隙間６を形成するためのスペーサ７を設けて成ることを特徴とするものである。
【０００９】
本発明の請求項３に係る換気役物Ａは、請求項１又は２に加えて、ベース傾斜片５の下面に屋根材８との隙間を塞ぐための弾性材９を設けて成ることを特徴とするものである。
【００１０】
本発明の請求項４に係る換気棟は、屋根下地１０の棟部に開口部１１を形成し、開口部１１の上側に捨て水切り１２を配設し、捨て水切り１２の上側に請求項１乃至３のいずれかに記載の換気役物Ａを配設し、カバー１に換気経路３と連通するカバー換気口１３を形成すると共にベース２に換気経路３と連通するベース換気口１４を形成し、上記の開口部１１、捨て水切り１２、ベース換気口１４、換気経路３、カバー換気口１３を通じて換気可能に形成し、換気役物Ａの上側に棟包１５を配設して成ることを特徴とするものである。
【発明の効果】
【００１１】
請求項１の発明では、カバー傾斜片４とベース傾斜片５との間に換気経路３と連通する排水用隙間６を形成するので、排水専用の排水用隙間６を通じて換気経路３に浸入した雨水を排水することができ、換気経路３への吹込み（風圧）により排水が抑制されることがなく、換気経路３に浸入した雨水の排水性を高めることができるものである。また、換気役物Ａと屋根面との間から排水する構造でないために、止水材や換気役物Ａと屋根面との重なり寸法（被さり長さＬ）が不要となるものである。
【００１２】
請求項２の発明では、スペーサ７によりカバー傾斜片４とベース傾斜片５を重ねるだけでカバー傾斜片４とベース傾斜片５の間に隙間を形成することができ、排水用隙間６を容易に形成することができるものである。
【００１３】
請求項３の発明では、弾性材９によりベース傾斜片５の下面と屋根材８との隙間を塞ぐことができ、ベース傾斜片５の下面と屋根材８の間からの雨水の浸入を防いで防水性能を高めることができるものである。
【００１４】
請求項４の発明では、換気役物Ａの上側に棟包１５を配設することにより、換気役物Ａのカバー１のカバー換気口１３を棟包１５で覆うことができ、棟包１５により換気役物Ａの換気経路３などの内部に雨水が浸入するのを激減することができるものである。
【発明を実施するための最良の形態】
【００１５】
以下、本発明を実施するための最良の形態を説明する。
【００１６】
図１に本発明の換気棟を示す。この換気棟は、換気役物Ａ、捨て水切り１２、棟包１５などを備えて形成されている。
【００１７】
換気役物Ａは屋根の棟部に沿って長く形成されるものであり、カバー１、ベース２及び仕切材２０を備えて形成されている。これらカバー１、ベース２及び仕切材２０はいずれもステンレス鋼板などの金属板を折り曲げ加工するなどして形成されており、これにより、換気役物Ａが金属板のバネ効果（弾性力）を有することになり、このバネ効果により後述の弾性材（防水材）の押え付けや棟包１５の配置の直線性が容易に確保することができるものである。
【００１８】
図２（ａ）に示すように、カバー１は屋根の棟部に沿って長く形成されるものであり、、下面が開口する断面略コ字状の頂部２１と、頂部２１の両方の下端に突設されるカバー換気路形成片２２、２２と、各カバー換気路形成片２２の先端に略垂直に下方に向けて突設されるカバー立ち上げ片２３と、各カバー立ち上げ片２３の下端から外側（頂部２１と反対側）に向かって突設されるカバー傾斜片４とを備えて形成されている。カバー１の長手方向の端部及びカバー傾斜片４の先端は下側（裏側）に折り返し屈曲してハゼ折りに形成されている。頂部２１の上面には釘孔２５が設けられている。また、カバー換気路形成片２２及びカバー立ち上げ片２３にはリベット孔２６が設けられている。さらに、カバー換気路形成片２２には厚み方向（上下方向）に貫通する複数個の長孔のカバー換気口１３がカバー１の長手方向に沿って並べて形成されている。カバー換気口１３はカバー１の長手方向の端部には形成されていない。また、カバー１の長手方向の両端部の下面（裏面）にはＥＰＤＭ等で形成される防水シーラーが貼着されていると共に頂部２１の下面（裏面）には防露材が貼着されている。
【００１９】
図２（ａ）に示すように、ベース２は屋根の棟部に沿って長く形成されるものであり、、取付片２７と、取付片２７の長手端部に略垂直に下方に向けて突設されるベース換気路立ち上げ片２８と、ベース換気路立ち上げ片２８の先端に外側（取付片２７の反対側）に突設されるベース換気路形成片２９と、ベース換気路形成片２９の先端に略垂直に下方に向けて突設されるベース立ち上げ片３０と、ベース立ち上げ片３０の下端から外側（ベース換気路形成片２９と反対側）に向かって突設されるベース傾斜片５とを備えて形成されている。ベース換気路立ち上げ片２８の長手方向の両端部には略垂直に上方に突出する遮蔽片３１が設けられている。また、ベース立ち上げ片３０とベース傾斜片５の長手方向の両端部は上側（表側）に折り返し屈曲してハゼ折りに形成されている。また、取付片２７、ベース換気路形成片２９、ベース立ち上げ片３０にはリベット孔２６が設けられている。また、ベース立ち上げ片３０及びベース傾斜片５の表面には複数個のスペーサ７が突設されている。スペーサ７は図２（ｃ）に示すように、ベース立ち上げ片３０及びベース傾斜片５の金属板の一部を表面側に突出するように変形させて形成することができる。また、ベース換気路立ち上げ片２８には厚み方向（軒棟方向）に貫通する複数個の長孔のベース換気口１４がベース２の長手方向に沿って並べて形成されている。
【００２０】
図２（ａ）に示すように、仕切材２０は屋根の棟部に沿って長く形成されるものであり、固定片３１ａと、固定片３１ａの長手端部に略垂直に突設される仕切板３２とを備えて断面略Ｌ字状に形成されている。
【００２１】
そして、換気役物Ａを形成するにあたっては以下のようにして行う。まず、カバー１の各カバー換気路形成片２２の下面に仕切材２０を取り付ける。この仕切材２０の取り付けは、仕切材２０の固定片３１ａをカバー換気路形成片２２の下面に当てて固定片３１ａのリベット孔２６とカバー換気路形成片２２のリベット孔２６を貫通するようにしてリベット３３を打ち込んでかしめるようにする。これにより、カバー１の両方のカバー換気路形成片２２、２２に仕切材２０を一つずつ取り付け、カバー換気路形成片２２の下面から仕切材２０の仕切板３２を突出させる。また、ベース２のベース換気路形成片２９の上面に仕切材２０を取り付ける。この仕切材２０の取り付けは、仕切材２０の固定片３１ａをベース換気路形成片２９の上面に当てて固定片３１ａのリベット孔２６とベース換気路形成片２９のリベット孔２６を貫通するようにしてリベット３３を打ち込んでかしめるようにする。これにより、一対のベース２に仕切材２０を一つずつ取り付け、ベース換気路形成片２９の上面から仕切材２０の仕切板３２を突出させる。
【００２２】
この後、仕切材２０を取り付けたカバー１に、仕切材２０を取り付けたベース２を取り付けることによって、換気役物Ａを形成することができる。すなわち、仕切材２０を取り付けたカバー１の下側に、仕切材２０を取り付けたベース２を配置し、カバー１のカバー換気路形成片２２の下面にベース２の取付片２７の上面を当てて取付片２７のリベット孔２６とカバー換気路形成片２２のリベット孔２６を貫通するようにしてリベット３３を打ち込んでかしめるようにする。また、カバー１のカバー立ち上げ片２３の裏面にベース２のベース立ち上げ片３０の表面を当ててカバー立ち上げ片２３のリベット孔２６とベース立ち上げ片３０のリベット孔２６を貫通するようにしてリベット３３を打ち込んでかしめるようにする。また、スペーサ７を介在させた状態でカバー傾斜片４の下面にベース傾斜片５の上面を当てて配置する。このようにして、カバー１の両側のカバー換気路形成片２２、２２の下面にベース２を一つずつ取り付けることによって、図２（ｂ）に示すような換気役物Ａを形成することができる。
【００２３】
この換気役物Ａでは、カバー換気路形成片２２とこれに対向配置されるベース換気路形成片２９とカバー立ち上げ片２３とベース換気路立ち上げ片２８とで囲まれる空間が換気経路３として形成されている。また、換気経路３は、ベース換気路立ち上げ片２８に設けたベース換気口１４により小屋裏などの屋内の空間側に連通することができ、カバー換気路形成片２２に設けたカバー換気口１３により屋外の空間側に連通することができるものである。また、カバー１に取り付けた仕切材２０の仕切片３２及びベース２に取り付けた仕切材２０の仕切片３２により換気経路３は迷路のようなジグザグな経路となるものである。さらに、スペーサ７によりカバー立ち上げ片２３とベース立ち上げ片３０の間及びカバー傾斜片４とベース傾斜片５との間に換気経路３と連通する隙間が設けられ、この隙間を排水用隙間６として形成するものである。
【００２４】
上記の換気役物Ａを用いて換気棟を形成するにあたっては次のようにして行う。まず、図３に示すように、屋根下地１０の棟部に上下に貫通する開口部１１を形成する。屋根下地１０は野地板等で形成することができ、梁３５の上に母屋３６を配設し、母屋３６の上に屋根下地１０を配設することができる。開口部１１は屋根の棟部に沿って長く形成されている。また、開口部１１の長手方向の両側には棟桟受け金具３７、３７が設けられている。棟桟受け金具３７は、その下端に設けた取着片３８を、棟部を挟んで両側の屋根下地１０にビス３９で取り付けることによって、屋根下地１０の上面に立設する。次に、図４に示すように、開口部１１の上側に換気用の捨て水切り１２を配設する。捨て水切り１２は、筒部４０とその下端に設けた支持片４１、４１とで形成されており、棟部を挟んで両側の屋根下地１０に支持片４１，４１をビスや釘などの固定具８０で取り付けることによって、屋根下地１０の上面に立設する。また、捨て水切り１２の外周にはシーリングを塗布して屋根下地１０との隙間を塞ぐようにする。また、筒部４０の内周面には防露材が設けられている。そして、筒部４０の下端開口は開口部１１と連通して配置される。
【００２５】
次に、図５に示すように、屋根下地１０の上に複数枚の平板状の屋根材８，８…を配設する。屋根材８としてはセメントを主成分とする窯業系のものを使用することができる。左右方向（屋根の傾斜と直交する方向）に隣接する屋根材８，８は側端部に形成された実を重ね合わせて配設されている。尚、この構造に限られることなく、屋根材８，８は側端部同士を突き合わせるようにしてもよい。また、軒棟方向（屋根の傾斜方向）に隣接する屋根材８，８は、軒側に配置された屋根材８の棟側端部の上面に、棟側に配置された屋根材８の軒側端部を載置するようにする。また、屋根材８により棟桟受け金具３７の取着片３８や捨て水切り１２の支持片４１は覆い隠されるが、棟桟受け金具３７の上端の受け部４２や捨て水切り１２の筒部４０の上端は屋根材８よりも上側に位置している。屋根材８の棟側端部は釘等の固定具４６で屋根下地１０に固定される。次に、図６に示すように、一対の棟桟受け金具３７，３７の上端に設けた断面コ字状の受け部４２、４２の間に、屋根の傾斜と直交する方向に長い角材の棟桟木４３を架設する。このとき、筒部４０の上側開口と棟桟木４３の間には間隙が形成されている。次に、図７に示すように、屋根材８の上面に弾性材９を配設する。弾性材９は、屋根の傾斜と直交する方向に長く配置されるものであり、例えば、防水シーラーで形成することができる。また、弾性材９を配設するにあたっては、面戸４４を仮置きし、弾性材９の配設位置を決める。このようにして図８に示すように、棟部を挟んで両側において屋根材８、８の上面に弾性材９，９を配設することができる。次に、図９に示すように、一対の面戸（乾式面戸）４５、４５を配設する。この面戸４５は換気役物Ａのカバー１と断面形状が略同一で材質も同様のものである。また、面戸４５は棟桟木４３の長手方向の両端部の上に配置されるが、図１４に示すように、面戸４５と棟桟木４３の間には防水シート（下葺材）４６が設けられている。さらに、面戸４５の端部の下面は弾性材９の上面に密着している。
【００２６】
次に、図１０に示すように、面戸４５，４５の間において、棟桟木４３の上に上記換気役物Ａを配設する。このとき、カバー１の頂部２１の下側に棟桟木４３が嵌り込むようにする。また、カバー傾斜片４及びベース傾斜片５は屋根の傾斜面とほぼ平行に（屋根の傾斜面に沿って）配置される。また、ベース傾斜片５の下面に弾性材９の上面を密着させてベース傾斜片５と屋根材８との隙間を弾性材９で塞ぐようにする。さらに、換気役物Ａの長手方向の両端部は、各面戸４５の端部に重ねるようにする。次に、図１１に示すように、一方の面戸４５の上にこの面戸４５を覆うようにして端部棟包４７を配設する。次に、図１２に示すように、換気役物Ａの上側に換気役物Ａを覆うようにして棟包１５を配設する。次に、図１３に示すように、他方の面戸４５の上にもう一つの端部棟包４７をこの面戸４５を覆うようにして配設する。ここで、棟包１５と端部棟包４７は屋根材８と同様にセメントを主成分とする窯業系のものを使用することができる。また、棟包１５と端部棟包４７とはほぼ同じ断面形状を有し、下面が開口する断面略逆Ｕ字状に形成されるが、棟包１５の側部１５ａは端部棟包４７の側部４７ａよりも長さが短く形成されている。従って、端部棟包４７の下端は屋根材８の上面と当接した状態となるが、棟包１５の下端と屋根材８との間には隙間が形成されており、この隙間は棟換気口５０として形成されている。また、端部棟包４７と棟包１５とは重ね代部５１で重ね合わされている。そして、端部棟包４７と棟包１５はリング釘などの固定具５２を上面から棟桟木４３にまで打ち込むことにより固定することができる。
【００２７】
上記のように形成される換気棟は、図１に矢印イで示すように、小屋裏から開口部１１、捨て水切り１２の筒部４０、換気役物Ａのベース換気口１４，換気経路３，カバー換気口１３及び棟換気口５０を通じて空気を流通させて換気を行うことができ、また、屋根下地１０と屋根材８との隙間の換気も同経路を通じて行うことができる。また、換気役物Ａのカバー１の上面に設けたカバー換気口１３は棟包１５で覆われるために、換気役物Ａの換気経路３などの内部にまで雨水が浸入することがないものである。そして、棟換気口５０から浸入した雨水がカバー換気口１３を通じて換気経路３にまで達しても、その雨水は仕切片３２で遮られて換気経路３を屋内側に浸入しないようにすることができ、図１の矢印ロのように、換気経路３から排水用隙間６を通じて屋根材８の上面に排水されるものであり、これにより、防水性能を高くすることができるものである。また、換気役物Ａと屋根面（屋根材８の上面）との間から排水する構造ではないために、弾性材９やベース傾斜片５の重なり寸法が不要である。
【図面の簡単な説明】
【００２８】
【図１】本発明の換気棟の実施の形態の一例を示す断面図である。
【図２】本発明の換気役物の実施の形態の一例を示し、（ａ）は分解斜視図、（ｂ）は断面図、（ｃ）は一部の断面図である。
【図３】本発明の換気棟の形成工程の一部を示す斜視図である。
【図４】同上の形成工程の一部を示す斜視図である。
【図５】同上の形成工程の一部を示す斜視図である。
【図６】同上の形成工程の一部を示す斜視図である。
【図７】同上の形成工程の一部を示す斜視図である。
【図８】同上の形成工程の一部を示す斜視図である。
【図９】同上の形成工程の一部を示す斜視図である。
【図１０】同上の形成工程の一部を示す斜視図である。
【図１１】同上の形成工程の一部を示す斜視図である。
【図１２】同上の形成工程の一部を示す斜視図である。
【図１３】同上の形成工程の一部を示す斜視図である。
【図１４】同上の換気棟を示す断面図である。
【図１５】従来例を示す断面図である。
【図１６】他の従来例を示す断面図である。
【符号の説明】
【００２９】
１  カバー
２  ベース
３  換気経路
４  カバー傾斜片
５  ベース傾斜片
６  排水用隙間
７  スペーサ
８  屋根材
９  弾性材
１０  屋根下地
１１  開口部
１２  捨て水切り
１３  カバー換気口
１４  ベース換気口
１５  棟包
【図１】
2008057241.tif 000003
【図２】
2008057241.tif 000004
【図３】
2008057241.tif 000005
【図４】
2008057241.tif 000006
【図５】
2008057241.tif 000007
【図６】
2008057241.tif 000008
【図７】
2008057241.tif 000009
【図８】
2008057241.tif 000010
【図９】
2008057241.tif 000011
【図１０】
2008057241.tif 000012
【図１１】
2008057241.tif 000013
【図１２】
2008057241.tif 000014
【図１３】
2008057241.tif 000015
【図１４】
2008057241.tif 000016
【図１５】
2008057241.tif 000017
【図１６】
2008057241.tif 000018